【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
所望の特徴を有する精子細胞を単離するための改良されたフローサイトメーターシステムであって、該システムは以下：
ａ．該フローサイトメーターによって分析されるべき細胞を供給する細胞供給源であって、該フローサイトメーターは、高速セルソーターを備える、細胞供給源；
ｂ．該精子細胞のためのシース流体環境を作製する、化学的に調整されたシース流体供給源であって、該精子細胞は、選別前細胞流体環境もしくは選別後細胞流体環境のいずれか、または選別前細胞流体環境および選別後細胞流体環境の両方で調整されるように選択される、シース流体供給源；
ｃ．該精子細胞が、該シース流体環境に供される間に通過する、ノズル；
ｄ．該シース流体が該ノズルを通過する際に該シース流体に作用する、発振器；
ｅ．該細胞に応答する、細胞感受システム；
ｆ．所望の特徴を有する精子細胞を選別するために作用する、ソーター識別システム；ならびに
ｇ．所望の特徴を有する精子細胞が内部に配置されるコレクターであって、該コレクターが、緩衝要素をさらに備える、コレクター
を備え、
該高速セルソーターが、１秒あたり少なくとも５００を選別する速度で、分析されるべき該細胞を選別し、
該細胞供給源が、ウシ精子細胞またはウマ精子細胞を含み、
該選別前細胞流体環境および選別後細胞流体環境が、該細胞が特に応答性である少なくとも１つの代謝性化学組成物を含み、
該化学的に調整されたシース流体供給源が、該代謝性化学的組成物に対する変化を最小化し、そして
該代謝性化学組成物が、ウシ精子細胞のためのクエン酸、または、ウマ精子細胞のためのヘペス緩衝液を含む、
所望の特徴を有する精子細胞を単離するための改良されたフローサイトメーターシステム。
【請求項２】
前記代謝性化学的組成物がクエン酸を含む、請求項１に記載の所望の特徴を有する精子細胞を単離するための改良されたフローサイトメーターシステム。
【請求項３】
前記細胞供給源が、前記選別前細胞流体環境を作製し、そして前記コレクターが、前記選別後細胞流体環境を作製する、請求項１に記載の所望の特徴を有する精子細胞を単離するための改良されたフローサイトメーターシステム。
【請求項４】
前記コレクターが、低用量の精子を提供するために使用され、前記精子細胞がウマ精子細胞を含み、該低用量の精子が１０００万未満の精子の投与量を含む、請求項１に記載の所望の特徴を有する精子細胞を単離するための改良されたフローサイトメーターシステム。
【請求項５】
前記化学的に調整されたシース流体供給源が、２．９％のクエン酸ナトリウムを含む溶液を含む、請求項１に記載の所望の特徴を有する精子細胞を単離するための改良されたフローサイトメーターシステム。
【請求項６】
前記コレクターは、人工授精のための精子を提供するために使用される、請求項５に記載の所望の特徴を有する精子細胞を単離するための改良されたフローサイトメーターシステム。
【請求項７】
前記コレクターは、人工授精のための低用量の精子を提供するために使用され、前記精子細胞はウシ精子細胞を含み、該低用量の精子は、５００，０００以下の精子の投与量を含む、
請求項５に記載の所望の特徴を有する精子細胞を単離するための改良されたフローサイトメーターシステム。
【請求項８】
前記化学的に調整されたシース流体供給源が、ウマ精子細胞のためのヘペス緩衝化培地を含む溶液を含む、請求項１に記載の所望の特徴を有する精子細胞を単離するための改良されたフローサイトメーターシステム。
【請求項９】
前記コレクターが、広い収集管を備え、該広い収集管が、前記細胞との接触を回避する様式において前記容器の壁を配置するために機能する開口部の広さを有する、請求項１に記載の所望の特徴を有する精子細胞を単離するための改良されたフローサイトメーターシステム。
【手続補正２】
【補正対象書類名】明細書
【補正対象項目名】００２０
【補正方法】変更
【補正の内容】
【００２０】
１つの実施形態においては、代表的な人工受精投与量と比較して、少ない数の精子細胞を有する受精サンプルを確立する上記工程が、１０万の精子細胞のウシ受精サンプル、２５万の精子細胞のウシ受精サンプル、３０万以下の精子細胞のウシ受精サンプル、１００万以下の精子細胞のウマ受精サンプル、５００万以下の精子細胞のウマ受精サンプル、１０００万以下の精子細胞のウマ受精サンプル、および２５００万以下の精子細胞のウマ受精サンプルからなる群より選択される受精サンプルを確立する工程を包含する。
【手続補正３】
【補正対象書類名】明細書
【補正対象項目名】０１３９
【補正方法】変更
【補正の内容】
【０１３９】
１つの実施形態においては、代表的な人工受精投与量と比較して、少ない数の精子細胞を有する受精サンプルを確立する上記工程が、１０万の精子細胞のウシ受精サンプル、２５万の精子細胞のウシ受精サンプル、３０万以下の精子細胞のウシ受精サンプル、１００万以下の精子細胞のウマ受精サンプル、５００万以下の精子細胞のウマ受精サンプル、１０００万以下の精子細胞のウマ受精サンプル、および２５００万以下の精子細胞のウマ受精サンプルからなる群より選択される受精サンプルを確立する工程を包含する。
【手続補正４】
【補正対象書類名】明細書
【補正対象項目名】００４５
【補正方法】変更
【補正の内容】
【００４５】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のための、約２．９％のクエン酸ナトリウムを含むシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置される、コレクター、
を備える。
【手続補正５】
【補正対象書類名】明細書
【補正対象項目名】００４７
【補正方法】変更
【補正の内容】
【００４７】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のための、ヘペス緩衝化培地を含むシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置される、コレクター、
を備える。
【手続補正６】
【補正対象書類名】明細書
【補正対象項目名】００４９
【補正方法】変更
【補正の内容】
【００４９】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のためのシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置され、そして約６％の卵黄を含むクエン酸コレクター流体を含む、コレクター、
を備える。
【手続補正７】
【補正対象書類名】明細書
【補正対象項目名】００５２
【補正方法】変更
【補正の内容】
【００５２】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のためのシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置され、そして流動に適合される容器の物理的特徴を有する試験管を備える、コレクター、
を備える。
【手続補正８】
【補正対象書類名】明細書
【補正対象項目名】００６６
【補正方法】変更
【補正の内容】
【００６６】
本発明の別の局面によれば、所望の精子細胞を単離するための、改良されたフローサイトメーターシステムが提供され、このシステムは、以下：
ａ．フローサイトメーターによって分析されるべき細胞を供給する、細胞供給源；
ｂ．選別前および選別後の細胞流体環境の両方で調整されるように選択される、細胞のためのシース流体環境を作製する、化学的に調整されたシース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するために作用する、ソーター識別システム；および
ｇ．所望の特徴を有する細胞が内部に配置される、コレクター、
を備える。
【手続補正９】
【補正対象書類名】明細書
【補正対象項目名】００８５
【補正方法】変更
【補正の内容】
【００８５】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のための、約２．９％のクエン酸ナトリウムを含む溶液を含むシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置される、コレクター、
を備える。
【手続補正１０】
【補正対象書類名】明細書
【補正対象項目名】００９０
【補正方法】変更
【補正の内容】
【００９０】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のための、ヘペス緩衝化培地を含む溶液を含むシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置される、コレクター、
を備える。
【手続補正１１】
【補正対象書類名】明細書
【補正対象項目名】００９８
【補正方法】変更
【補正の内容】
【００９８】
本発明の別の局面によれば、所望の精子細胞を単離するための改良されたフローサイトメーターシステムが提供され、このシステムは、以下：
ａ．フローサイトメーターによって分析されるべきウシ精子細胞を供給する細胞供給源；
ｂ．細胞のための、約２．９％のクエン酸ナトリウムを含むシース流体環境を作製する、化学的に調整されたシース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置され、約６％の卵黄を含むクエン酸収集流体を含み、そして約５０万未満の精子の投与量を提供するために使用される、コレクター、を備え、
ここで、これらのノズル、発振器、細胞感受システム、およびソーター識別システムが、フローサイトメーターシステムの一部であって、このフローサイトメーターシステムが
、１秒あたり少なくとも約５００を選別する速度で、分析されるべき精子細胞を選別し、そして１平方インチあたり少なくとも約５０ポンドの圧力で操作される。
【手続補正１２】
【補正対象書類名】明細書
【補正対象項目名】００９９
【補正方法】変更
【補正の内容】
【００９９】
本発明の別の局面によれば、所望の精子細胞を単離するための改良されたフローサイトメーターシステムが提供され、このシステムは、以下：
ａ．フローサイトメーターによって分析されるべきウマ精子細胞を供給する細胞供給源；
ｂ．細胞のための、ヘペス緩衝化培地を含むシース流体環境を作製する、化学的に調整されたシース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置され、ヘペス緩衝化培地を含む収集流体を含み、そして約１０００万未満の精子の投与量を提供するために使用される、コレクター、を備え、
ここで、これらのノズル、発振器、細胞感受システム、およびソーター識別システムが、フローサイトメーターシステムの一部であって、このフローサイトメーターシステムが
、１秒あたり少なくとも約５００を選別する速度で、分析されるべき細胞を選別し、そして１平方インチあたり少なくとも約５０ポンドの圧力で操作される。
【手続補正１３】
【補正対象書類名】明細書
【補正対象項目名】０１００
【補正方法】変更
【補正の内容】
【０１００】
本発明の別の局面によれば、所望の精子細胞を単離するための、改良されたフローサイトメーターシステムが提供され、このシステムは、以下：
ａ．フローサイトメーターによって分析されるべき細胞を供給する、細胞供給源；
ｂ．細胞のためのシース流体環境と、選別前および選別後の細胞流体環境の両方との間の変化を最小化するための手段；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するために作用する、ソーター識別システム；および
ｇ．所望の特徴を有する細胞が内部に配置される、コレクター、
を備える。
【手続補正１４】
【補正対象書類名】明細書
【補正対象項目名】０１０３
【補正方法】変更
【補正の内容】
【０１０３】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のためのシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．所望の特徴を有する細胞が内部に配置され、そして化学的に調整されたコレクター流体シース流体共有源を備える、コレクターであって、このコレクター流体シース流体
供給源が、以前の細胞流体環境で調整されるよう選択される、細胞のためのコレクター流体環境を作製する、コレクター、
を備える。
【手続補正１５】
【補正対象書類名】明細書
【補正対象項目名】０１１８
【補正方法】変更
【補正の内容】
【０１１８】
本発明の別の局面によれば、所望の精子細胞を単離するための改良されたフローサイトメーターシステムが提供され、このシステムは、以下：
ａ．フローサイトメーターによって分析されるべき細胞を供給する細胞供給源；
ｂ．細胞のためのシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．緩衝要素を備えるコレクター、
を備える。
【手続補正１６】
【補正対象書類名】明細書
【補正対象項目名】０１３５
【補正方法】変更
【補正の内容】
【０１３５】
本発明の別の局面によれば、所望の精子細胞を単離するための、改良されたフローサイトメーターシステムが提供され、このシステムは、以下：
ａ．フローサイトメーターによって分析されるべき細胞を供給する、細胞供給源；
ｂ．細胞のためのシース流体環境を作製する、シース流体供給源；
ｃ．細胞が、シース流体環境に供される間に通過する、ノズル；
ｄ．シース流体がノズルを通過する際にシース流体に作用する、発振器；
ｅ．細胞に応答する、細胞感受システム；
ｆ．所望の特徴を有する細胞を選別するように作用する、ソーター識別システム；および
ｇ．細胞とコレクターとの間の衝撃を回避するための手段を備える、コレクター、
を備える。
【手続補正１７】
【補正対象書類名】明細書
【補正対象項目名】０１４６
【補正方法】変更
【補正の内容】
【０１４６】
本発明の別の局面によれば、精子細胞を選別する方法が提供され、この方法は、以下の工程：
ａ．選別される細胞を供給する細胞供給源を確立する工程；
ｂ．選別前および選別後の細胞流体環境の両方で調整される、細胞のためのシース流体環境を作製するために、シース流体を化学的に調整する工程；
ｃ．細胞の特性を感受する工程；
ｄ．所望の特徴を有する細胞間を識別する工程；および
ｅ．所望の特徴を有する細胞を収集する工程、
を包含する。
【手続補正１８】
【補正対象書類名】明細書
【補正対象項目名】０１５９
【補正方法】変更
【補正の内容】
【０１５９】
本発明の別の局面によれば、精子細胞を選別する方法が提供され、この方法は、以下の工程：
ａ．選別されるべき細胞を供給する細胞供給源を確立する工程；
ｂ．細胞のためのシース流体環境を作製するために、シース流体を確立する工程；
ｃ．細胞の特性を感受する工程；
ｄ．所望の性特徴を有する細胞間を識別する工程；
ｅ．所望の性特徴を有する細胞をコレクター流体において収集する工程；ならびに
ｆ．選別前流体環境で調整される、細胞のための終了コレクター流体環境を作製するために、このコレクター流体を化学的に調整する工程、
を包含する。
【手続補正１９】
【補正対象書類名】明細書
【補正対象項目名】０１６４
【補正方法】変更
【補正の内容】
【０１６４】
本発明の別の局面によれば、精子細胞を選別する方法が提供され、この方法は、以下の工程：
ａ．選別されるべき細胞を供給する細胞供給源を確立する工程；
ｂ．細胞のためのシース流体環境を作製するために、シース流体を確立する工程；
ｃ．細胞の特性を感受する工程；
ｄ．所望の性特徴を有する細胞間を識別する工程；ならびに
ｅ．所望の性特徴を有する細胞を収集する工程であって、細胞が収集容器と衝突するこ
とを緩衝する工程を包含する、工程、
を包含する。
【手続補正２０】
【補正対象書類名】明細書
【補正対象項目名】０１９６
【補正方法】変更
【補正の内容】
【０１９６】
本発明の別の局面によれば、精子細胞を選別する方法が提供され、この方法は、以下の工程：
ａ．選別されるべき細胞を供給する細胞供給源を確立する工程；
ｂ．選別前の細胞流体環境と選別後の細胞流体環境との両方によって調整される、細胞のためのシース流体環境を作製するために、シース流体を化学的に調整する工程；
ｃ．細胞の特性を感受する工程；
ｄ．所望の性特徴を有する細胞間を識別する工程；および
ｅ．所望の性特徴を有する細胞を収集する工程、
を包含する。